(57)【要約】【課題】表示ユニットに劣化が生じ、表示している画像の見た目に違和感を生じた場合であっても、速やかに画像の見た目の違和感を緩和できる表示システムを提供する。【解決手段】表示パネル２７，３７を有する複数の表示ユニット５を並べて構成される表示装置１０を備え、複数の表示ユニット５の各々に画像を表示する表示システム１において、表示ユニット５毎の劣化状態を検出する劣化状態検出部と、各々の表示ユニット５が表示する画像の傾向を、各々の表示ユニット５の配置場所毎に検出する画像傾向検出部とを備え、劣化状態検出部によって検出された表示ユニット５毎の劣化状態と、画像傾向検出部によって検出された配置場所毎の画像の傾向とに基づいて、各々の表示ユニット５に適した配置場所を定める。【選択図】図１
2009186539.tif 000002
【特許請求の範囲】
【請求項１】
表示パネルを有する複数の表示ユニットを並べて構成される表示装置を備え、前記複数
の表示ユニットの各々に画像を表示する表示システムにおいて、
前記表示ユニット毎の劣化状態を検出する劣化状態検出部と、
各々の前記表示ユニットが表示する画像の傾向を、各々の前記表示ユニットの配置場所
毎に検出する画像傾向検出部とを備え、
前記劣化状態検出部によって検出された前記表示ユニット毎の劣化状態と、前記画像傾
向検出部によって検出された前記配置場所毎の前記画像の傾向とに基づいて、各々の前記
表示ユニットに適した前記配置場所を定めること、
を特徴とする表示システム。
【請求項２】
前記劣化状態検出部は、前記表示ユニットの輝度に基づいて前記表示ユニット毎に劣化
状態を検出し、
前記画像傾向検出部は、前記表示ユニットが表示する画像の輝度に基づいて前記配置場
所毎に前記画像の傾向を検出すること、
を特徴とする請求項１記載の表示システム。
【請求項３】
前記劣化状態検出部は、前記表示ユニットの特定の色に対する輝度に基づいて前記表示
ユニット毎に劣化状態を検出し、
前記画像傾向検出部は、前記表示ユニットが表示する画像の特定の色に対する輝度に基
づいて前記配置場所毎に前記画像の傾向を検出すること、
を特徴とする請求項１又は２記載の表示システム。
【請求項４】
前記劣化状態検出部によって検出された前記劣化状態に基づいて、劣化を生じている劣
化表示ユニットを検出する劣化検出部をさらに有し、
前記劣化状態検出部によって検出された前記劣化表示ユニットの前記劣化状態と、前記
画像傾向検出部によって検出された前記配置場所毎の前記画像の傾向とに基づいて、前記
劣化表示ユニットに適した配置場所を定めること、
を特徴とする請求項１から３のいずれかに記載の表示システム。
【請求項５】
前記画像傾向検出部によって検出された前記配置場所毎の前記画像の傾向に基づいて、
前記劣化表示ユニットに適する順に各々の配置場所を順位付けすること、
を特徴とする請求項４記載の表示システム。
【請求項６】
前記画像が動画像の場合、前記画像傾向検出部は、各々の前記表示ユニットが表示する
前記画像の動きの傾向を、各々の前記表示ユニットの配置場所毎に検出し、
前記劣化状態検出部によって検出された前記表示ユニット毎の劣化状態と、前記画像傾
向検出部によって検出された前記配置場所毎の前記画像の傾向及び前記画像の動きの傾向
とに基づいて、各々の前記表示ユニットに適した前記配置場所を定めること、
を特徴とする請求項１から５のいずれかに記載の表示システム。
【請求項７】
前記表示ユニットに適した前記配置場所を表示する表示部をさらに有すること、
を特徴とする請求項１から６のいずれかに記載の表示システム。
【請求項８】
表示パネルを有する複数の表示ユニットを並べて構成される表示装置を備えた表示シス
テムの制御方法であって、
前記表示ユニット毎の劣化状態を検出すると共に、各々の前記表示ユニットが表示する
画像の傾向を、各々の前記表示ユニットの配置場所毎に検出し、
検出された前記表示ユニット毎の劣化状態と、検出された前記配置場所毎の前記画像の
傾向とに基づいて、各々の前記表示ユニットに適した前記配置場所を定めること、
を特徴とする表示システムの制御方法。
【発明の詳細な説明】
【技術分野】
【０００１】
本発明は、複数の表示ユニットを接続して構成される表示システム、及び、表示システ
ムの制御方法に関する。
【背景技術】
【０００２】
従来、複数の表示ユニットを並べて一つの大型の画面を構成する手法が知られている（
例えば、特許文献１参照）。特許文献１には、複数の画像表示部を並べて配設することで
、大型の画面として機能するマルチディスプレイシステム装置を構成する場合に、各々の
画像表示部に対し、表示データをそれぞれ入力するものが開示されている。このように複
数の表示装置を並べて全体として一つの画面のようにし、この画面に画像を表示させるこ
とは、一般に、タイリング表示と呼ばれる。
【特許文献１】特開２００１−２７５１３７号公報
【発明の開示】
【発明が解決しようとする課題】
【０００３】
ところで、タイリング表示によって画像の表示を行う装置では、複数の表示ユニットの
うち一部の表示ユニットに劣化が生じてしまうことがある。そして、一部の表示ユニット
に劣化が生じた場合、例えば輝度が他の表示ユニットと合わなくなり、表示している画像
の見た目に違和感を生じる、という問題があった。
そこで、本発明は、表示ユニットに劣化が生じ、表示している画像の見た目に違和感を
生じた場合であっても、速やかに画像の見た目の違和感を緩和できる表示システムを提供
することを目的とする。
【課題を解決するための手段】
【０００４】
上記課題を解決するため、本発明は、表示パネルを有する複数の表示ユニットを並べて
構成される表示装置を備え、前記複数の表示ユニットの各々に画像を表示する表示システ
ムにおいて、前記表示ユニット毎の劣化状態を検出する劣化状態検出部と、各々の前記表
示ユニットが表示する画像の傾向を、各々の前記表示ユニットの配置場所毎に検出する画
像傾向検出部とを備え、前記劣化状態検出部によって検出された前記表示ユニット毎の劣
化状態と、前記画像傾向検出部によって検出された前記配置場所毎の前記画像の傾向とに
基づいて、各々の前記表示ユニットに適した前記配置場所を定めること、を特徴とする。
この構成によれば、表示ユニット毎の劣化状態と、表示ユニットの配置場所毎の画像の
傾向とに基づいて、各々の表示ユニットに適した配置場所を定めることができる。ここで
、表示ユニットに適した配置場所とは、一つの表示ユニットがこの表示ユニットに適した
配置場所に配置されたときに、この表示ユニットの劣化状態とこの配置場所の画像の傾向
との関係により、この表示ユニットが最も違和感なく画像を表示することができるような
配置場所のことである。
このように、各々の表示ユニットに適した配置場所を定めることができるため、表示ユ
ニットの劣化に起因して、表示する画像に見た目の違和感が生じた場合であっても、この
表示ユニットを上記配置場所に配置することにより、速やかに違和感を緩和することがで
きる。
【０００５】
また、上記構成において、前記劣化状態検出部は、前記表示ユニットの輝度に基づいて
前記表示ユニット毎に劣化状態を検出し、前記画像傾向検出部は、前記表示ユニットが表
示する画像の輝度に基づいて前記配置場所毎に前記画像の傾向を検出するようにしてもよ
い。
この構成によれば、表示ユニットの輝度に基づいて検出された劣化状態と、画像の輝度
に基づいて検出された画像の傾向とによって、表示ユニットに適した配置場所が定められ
る。このため、表示ユニットの輝度が他の表示ユニットと合わなくなることに起因して生
じる画像の見た目の違和感を緩和する配置場所を定めることができる。従って、表示ユニ
ットの輝度が他の表示ユニットと合わなくなることに起因して、表示する画像に見た目の
違和感が生じた場合であっても、表示ユニットを上記配置場所に配置することにより速や
かに違和感を緩和することができる。
【０００６】
また、上記構成において、前記劣化状態検出部は、前記表示ユニットの特定の色に対す
る輝度に基づいて前記表示ユニット毎に劣化状態を検出し、前記画像傾向検出部は、前記
表示ユニットが表示する画像の特定の色に対する輝度に基づいて前記配置場所毎に前記画
像の傾向を検出するようにしてもよい。
この構成によれば、表示パネルの特定の色に対する輝度に基づいて検出された劣化状態
と、画像の特定の色に対する輝度に基づいて検出された画像の傾向とによって表示ユニッ
トに適した配置場所が定められる。このため、表示ユニットの特定の色に対する輝度が他
の表示ユニットと合わなくなることに起因して生じる画像の見た目の違和感を緩和する配
置場所を定めることができる。従って、表示ユニットの特定の色に対する輝度が他の表示
ユニットと合わなくなることに起因して、表示する画像に見た目の違和感が生じた場合で
あっても、表示ユニットを上記配置場所に配置することにより速やかに違和感を緩和する
ことができる。
【０００７】
また、上記構成において、前記劣化状態検出部によって検出された前記劣化状態に基づ
いて、劣化を生じている劣化表示ユニットを検出する劣化検出部をさらに有し、前記劣化
状態検出部によって検出された前記劣化表示ユニットの前記劣化状態と、前記画像傾向検
出部によって検出された前記配置場所毎の前記画像の傾向とに基づいて、前記劣化表示ユ
ニットに適した配置場所を定めるようにしてもよい。
この構成によれば、劣化を生じている表示ユニットを検出できると共に、この表示ユニ
ットについて、この表示ユニットの劣化に起因して生じる画像の見た目の違和感を緩和す
る配置場所を定めることができる。このため、例えば、表示ユニットの劣化に起因して、
表示する画像に見た目の違和感が生じた場合であっても、その表示ユニットを上記配置場
所に配置することにより速やかに違和感を緩和することができる。
【０００８】
また、上記構成において、前記画像傾向検出部によって検出された前記配置場所毎の前
記画像の傾向に基づいて、前記劣化表示ユニットに適する順に各々の配置場所を順位付け
するようにしてもよい。
この構成によれば、劣化が生じている画像ユニットに適した順に配置場所が順位付けら
れるため、この画像ユニットの最も適した配置場所を定めることができる。
【０００９】
また、上記構成において、前記画像が動画像の場合、前記画像傾向検出部は、各々の前
記表示ユニットが表示する前記画像の動きの傾向を、各々の前記表示ユニットの配置場所
毎に検出し、前記劣化状態検出部によって検出された前記表示ユニット毎の劣化状態と、
前記画像傾向検出部によって検出された前記配置場所毎の前記画像の傾向及び前記画像の
動きの傾向とに基づいて、各々の前記表示ユニットに適した前記配置場所を定めるように
してもよい。
この構成によれば、画像の傾向だけでなく画像の動きの傾向に基づいて、各表示ユニッ
トに適した配置場所が定められることとなり、動画像を表示する表示ユニットに適した配
置場所を好適に定めることができる。
【００１０】
また、上記構成において、前記表示ユニットに適した前記配置場所を表示する表示部を
さらに有するようにしてもよい。
この構成によれば、表示部を参照することにより作業者が各表示ユニットに適した配置
場所を容易かつ迅速に認識することができ、この認識に基づいて表示ユニットを適した配
置場所へ実際に配置することができる。
【００１１】
また、上記課題を解決するため、本発明は、表示パネルを有する複数の表示ユニットを
並べて構成される表示装置を備えた表示システムの制御方法であって、前記表示ユニット
毎の劣化状態を検出すると共に、各々の前記表示ユニットが表示する画像の傾向を、各々
の前記表示ユニットの配置場所毎に検出し、検出された前記表示ユニット毎の劣化状態と
、検出された前記配置場所毎の前記画像の傾向とに基づいて、各々の前記表示ユニットに
適した前記配置場所を定めること、を特徴とする。
【発明の効果】
【００１２】
本発明によれば、表示ユニットに適した配置場所が定められる。このため、表示ユニッ
トに劣化が生じ、表示ユニットが表示する画像の見た目の違和感が生じている場合であっ
ても、この表示ユニットを、この表示ユニットに適した配置場所に配置することにより、
速やかに画像の見た目の違和感を緩和できる。
【発明を実施するための最良の形態】
【００１３】
以下、図面を参照して本発明の実施形態を説明する。
図１は、本発明を適用した実施形態に係る表示システム１の概略構成を示す図である。
表示システム１は、表示ユニットとしてのマスタパネルユニット２及びパネルユニット
３をつなげて構成され、一つの表示画面として機能する表示装置１０と、通信線１１を介
して表示装置１０に接続されたホストコンピュータ４とを含んで構成される。
表示装置１０は、少なくとも一つのマスタパネルユニット２と、１以上のパネルユニッ
ト３とを連結して構成され、本実施形態では、一つのマスタパネルユニット２と８つのパ
ネルユニット３とを縦３列×横３列に並べて連結し、矩形の表示装置１０を構成する場合
を例に挙げる。
なお、以下の説明において、マスタパネルユニット２とパネルユニット３を特に区別し
ない場合は、表示ユニット５と表すものとする。
【００１４】
図２は、マスタパネルユニット２及びパネルユニット３の構成を示す外観図であり、図
２（Ａ）はマスタパネルユニット２の構成を示し、図２（Ｂ）はパネルユニット３の構成
を示し、図２（Ｃ）はマスタパネルユニット２とパネルユニット３との連結部分の構成を
示す。
図２（Ａ）に示すように、マスタパネルユニット２は、矩形の表示パネル２７を、この
表示パネル２７とほぼ同サイズの矩形の筐体２８に収めたものであり、マスタパネルユニ
ット２の表面は、ほぼ全体が表示パネル２７で覆われる。また、パネルユニット３は、図
２（Ｂ）に示すように、矩形の表示パネル３７を、表示パネル３７とほぼ同サイズの矩形
の筐体３８に収めたものであり、パネルユニット３の表面は、ほぼ全体が表示パネル３７
で覆われる。筐体２８と筐体３８の外形形状及びサイズは揃えられているので、マスタパ
ネルユニット２とパネルユニット３とを縦横方向に並べて連結できる。
【００１５】
また、図２（Ａ）〜（Ｂ）に示すように、マスタパネルユニット２は、それぞれ上下左
右の各辺の方向を向けて配設された４つのインタフェース２６を備えている。パネルユニ
ット３も同様に、それぞれ上下左右の各辺の方向を向けて配設された４つのインタフェー
ス３５（接続部）を備えている。マスタパネルユニット２とパネルユニット３とが隣り合
う場合は、インタフェース２６とインタフェース３５とが接続され、パネルユニット３ど
うしが隣り合う場合はインタフェース３５どうしが接続される。
インタフェース２６及びインタフェース３５の具体的な構成としては、例えば図２（Ｃ
）に拡大して示すように、凹部と凸部とが並ぶコネクタを備え、対向するコネクタを噛み
合わせることで後述するデータバス等が相互に接続される構成が挙げられる。図２（Ｃ）
の例ではインタフェース２６、３５が備えるコネクタは同一形状であり、その向きに対し
て右側に凹部、左側に凸部が位置するよう配設されているので、向かい合うコネクタどう
しの凹部と凸部とが常に対向する。図２（Ｃ）にはインタフェース２６、３５を接続する
例を示したが、インタフェース３５どうしを接続する場合も全く同様である。
【００１６】
表示パネル２７、３７は、静止画像、動画像を含む各種画像を表示するものであり、例
えば、有機ＥＬ（Electro Luminescence）パネルが挙げられる。有機ＥＬパネルはバック
ライト等を必要としないため薄型化が可能であり、壁面に貼り付けるように設置する用途
には特に好適である。なお、表示ユニット５に、液晶表示パネル、プラズマディスプレイ
パネル、ＦＥＤ（Field Emission Display）パネル（ＳＥＤ：Surface-conduction Elect
ron-emitter Displayパネルを含む）、ＬＥＤ（発光ダイオード）ディスプレイ等の各種
のフラットパネルディスプレイや、電子ペーパー等を用いることも可能であり、ＣＲＴ（
Cathode Ray Tube）を用いてもよい。
【００１７】
また、マスタパネルユニット２は、図２（Ａ）に示すように、四隅にそれぞれホスト接
続用インタフェース２５を備えている。ホスト接続用インタフェース２５は、図１に示す
ように通信線１１を介してホストコンピュータ４に接続されるインタフェースである。マ
スタパネルユニット２は４個のホスト接続用インタフェース２５を備えているが、いずれ
か一つのホスト接続用インタフェース２５がホストコンピュータ４に接続されればよいの
で、表示装置１０の設置状態に応じて最も通信線１１を接続しやすいホスト接続用インタ
フェース２５を選択できるようになっている。
通信線１１は、例えばIEEE標準802.3、IEEE802.11等により規定される有線又は無線の
通信回線であり、この通信線１１を用いて、ホストコンピュータ４とマスタパネルユニッ
ト２とは有線ＬＡＮ（または無線ＬＡＮ）を構成する。
【００１８】
図３は、マスタパネルユニット２及びホストコンピュータ４の構成を示す機能ブロック
図である。また、図４はパネルユニット３の構成を示す図であり、図４（Ａ）はパネルユ
ニット３の機能ブロック図、図４（Ｂ）はインタフェース３５の構成図である。
図３に示すように、マスタパネルユニット２が備える４つのインタフェース２６は、そ
れぞれ設置方向が指定され、上方向インタフェース２６Ａ、右方向インタフェース２６Ｂ
、下方向インタフェース２６Ｃ、及び左方向インタフェース２６Ｄとなっている。マスタ
パネルユニット２は、上方向インタフェース２６Ａが上、右方向インタフェース２６Ｂが
右、下方向インタフェース２６Ｃが下、左方向インタフェース２６Ｄが左になるよう設置
する必要があり、例えばマスタパネルユニット２の裏面には、施工業者等が設置方向を確
認できるように、設置方向を示す文字や記号が付されている。
また、図４に示すように、パネルユニット３が備える４つのインタフェース３５は、パ
ネルユニット３の４辺に対応する方向を向いて配設され、それぞれ、Ａ方向インタフェー
ス３５Ａ、Ｂ方向インタフェース３５Ｂ、Ｃ方向インタフェース３５Ｃ、及びＤ方向イン
タフェース３５Ｄとなっている。これら４つのインタフェース３５の設置時における方向
は任意である。つまり、Ａ〜Ｄの方向が実際にどの方向を向くかは任意であり、例えば、
図４とは逆にＡ方向インタフェース３５Ａが下を向くようにパネルユニット３を設置して
もよい。
【００１９】
マスタパネルユニット２は、表示パネル２７における表示処理とともに表示装置１０全
体の制御を行う制御部２０を備えている。制御部２０は、ＣＰＵ２１と、ＣＰＵ２１によ
り実行される各種制御プログラム及びこれら制御プログラムに係るデータを記憶したＲＯ
Ｍ２２と、ＣＰＵ２１により実行されるプログラム及び処理されるデータ等を一時的に格
納するＲＡＭ２３と、ＣＰＵ２１の処理により生成されたデータ等を不揮発的に記憶する
不揮発性メモリ２４とを備える。
制御部２０は、上方向インタフェース２６Ａ、右方向インタフェース２６Ｂ、下方向イ
ンタフェース２６Ｃ及び左方向インタフェース２６Ｄに個別に接続され、これら４つのイ
ンタフェース２６を区別して、個々のインタフェース２６に対して情報を入出力する。ま
た、制御部２０には、マスタパネルユニット２の四隅に配設された４つのホスト接続用イ
ンタフェース２５が接続されている。さらに、ＣＰＵ２１は４つのホスト接続用インタフ
ェース２５に接続され、これらホスト接続用インタフェース２５を介してホストコンピュ
ータ４との間で制御情報や画像データ等を送受信する。
不揮発性メモリ２４には、マスタパネルユニット２に特有の識別情報としてのＩＤが記
憶されている。本実施形態では、一例として、マスタパネルユニット２に１６進数のＩＤ
（＝ＦＦ）が付与されており、ＣＰＵ２１は、インタフェース２６に接続されたパネルユ
ニット３や、ホスト接続用インタフェース２５に接続されたホストコンピュータ４に対し
、不揮発性メモリ２４に記憶しているＩＤ（＝ＦＦ）を出力する。
また、制御部２０は、マスタパネルユニット２が消費する消費電流を検出して、検出し
た電流量をＣＰＵ２１に出力する電流検出部６０と、ＣＰＵ２１の制御に従って表示パネ
ル２７に流れる電流を調整する電流調整回路６５とを備えている。これら電流検出部６０
及び電流調整回路６５の詳細な構成については後述する。
【００２０】
パネルユニット３は、図４（Ａ）に示すように、表示パネル３７における表示処理等を
行う制御部３０を備えている。制御部３０は、ＣＰＵ３１と、ＣＰＵ３１により実行され
る各種制御プログラム及びこれら制御プログラムに係るデータを記憶したＲＯＭ３２と、
ＣＰＵ３１により実行されるプログラム及び処理されるデータ等を一時的に格納するＲＡ
Ｍ３３と、ＣＰＵ３１の処理により生成されたデータ等を不揮発的に記憶する不揮発性メ
モリ３４とを備える。
制御部３０は、Ａ方向インタフェース３５Ａ、Ｂ方向インタフェース３５Ｂ、Ｃ方向イ
ンタフェース３５Ｃ、及びＤ方向インタフェース３５Ｄに個別に接続され、これら４つの
インタフェース３５を区別して、個々のインタフェース３５に対して信号の送受信等を行
える。
また、不揮発性メモリ３４は、後述する処理において、パネルユニット３に対して付与
された固有の識別情報としてのＩＤを記憶する。一つの表示装置１０を構成する各パネル
ユニット３には、それぞれ異なるＩＤが付与され、ＣＰＵ３１は、必要に応じて、インタ
フェース３５に接続されたマスタパネルユニット２や他のパネルユニット３に、不揮発性
メモリ３４に記憶しているＩＤを出力する。
さらに、制御部３０は、パネルユニット３が消費する電流を検出して、検出した電流量
をＣＰＵ３１に出力する電流検出部６０と、ＣＰＵ３１の制御に従って表示パネル３７に
流れる電流を調整する電流調整回路６５とを備えている。これら電流検出部６０及び電流
調整回路６５の詳細な構成については後述する。
【００２１】
図４（Ｂ）には、表示装置１０における全てのインタフェース２６、３５に共通する構
成を示す。この図４（Ｂ）に示すように、インタフェース２６、３５は、２本の電源供給
ライン（Ｖｃｃ）に加え、制御情報通信用バスと、表示ユニット５により表示するための
画像データを送信するための画像配信用バスを有する。制御情報通信用バスは、マスタパ
ネルユニット２とパネルユニット３との間、及び、パネルユニット３同士の間で、設定等
に関する制御情報を送受信するためのデータ線（ｄａｔａ）、及び、同期用のクロック信
号線（ＣＬＫ）により構成される。また、画像配信用バスは、表示ユニット５において表
示すべき画像の画像データを送受信するためのデータ線（Ｄ＋、Ｄ−）、及び、同期用の
クロック信号線（ＣＬＫ）により構成される。なお、インタフェース２６、３５の電源ラ
イン、データ線及びクロック信号線の間には適宜接地線（ＧＮＤ）が配置される。
制御部２０は、各インタフェース２６の制御情報通信用バスを介した制御情報の入出力
、及び、画像配信用バスを介した画像データの入出力を行う。同様に、制御部３０は、各
インタフェース３５の制御情報通信用バスを介した制御情報の入出力、及び、画像配信用
バスを介した画像データの入出力を行う。
【００２２】
図５は、電流検出部６０及び電流調整回路６５の構成を示す図であり、図５(Ａ)は電流
検出部６０の構成を示し、図５（Ｂ）は電流調整回路６５の構成を示す。
この電流検出部６０及び電流調整回路６５は、マスタパネルユニット２及びパネルユニ
ット３の両方に配設され、その構成及び機能は共通である。
図５（Ａ）に示す電流検出部６０は、入力される電流量を測定する電流測定回路６１と
、電流測定回路６１における測定値をデジタルデータとして出力するＡ／Ｄコンバータ６
３とを備えている。電流測定回路６１は供給される電流量の総和を測定し、測定値をＡ／
Ｄコンバータ６３へ出力する。ここで、電流測定回路６１はアナログ電圧値として測定値
を出力するので、電流測定回路６１の出力端とＡ／Ｄコンバータ６３の入力端との間には
ダイオード６２が介設されている。Ａ／Ｄコンバータ６３は、電流測定回路６１が出力し
たアナログ電圧値としての測定値を量子化して、デジタルデータとして出力する。
制御部２０に配設された電流検出部６０では、電流測定回路６１は、図４（Ｂ）に示す
ように４つのインタフェース２６が各々備える２本の電源供給ライン（Ｖｃｃ）からマス
タパネルユニット２に供給される電流量の総和を測定し、この測定値はＡ／Ｄコンバータ
６３によりデジタルデータに変換されてＣＰＵ２１に出力される。また、制御部３０に配
設された電流検出部６０では、電流測定回路６１により、４つのインタフェース３５が各
々備える２本の電源供給ライン（Ｖｃｃ）からパネルユニット３へ供給される電流量の総
和が測定され、この測定値がＡ／Ｄコンバータ６３によりデジタルデータに変換されてＣ
ＰＵ３１に出力される。
【００２３】
また、図５（Ｂ）に示す電流調整回路６５には、表示パネル２７が備える表示体２７Ａ
又は表示パネル３７が備える表示体３７Ａへ供給される電流が、図中矢印のように入力さ
れる。電流調整回路６５は、ＣＰＵ２１又はＣＰＵ３１の制御により抵抗値が変化する可
変抵抗として機能し、表示体２７Ａ、３７Ａへ供給する電流を適宜制限する。この電流調
整回路６５により、例えば、あるパネルユニット３において、表示パネル３７の表示体３
７Ａの消費電流を通常時よりも多くして、表示パネル３７の輝度を高めることができる。
ここで、表示体２７Ａ、３７Ａとは、電流を消費して表示パネル２７、３７における表
示を実現する素子又は構成を指し、例えば、表示パネル２７、３７が有機ＥＬパネルで構
成される場合は、有機材料で構成される個々の表示素子を指す。
【００２４】
一方、図３に示すように、ホストコンピュータ４は、ＣＰＵ４１、ＣＰＵ４１により実
行される各種制御プログラム及びこれら制御プログラムに係るデータを記憶したＲＯＭ４
２、ＣＰＵ４１により実行されるプログラム及び処理されるデータ等を一時的に格納する
ＲＡＭ４３、ＣＰＵ４１の処理により生成されたデータ等を記憶する記憶部４４、ユーザ
やオペレータによる入力操作を受け付ける入力部４５、入力部４５により入力された内容
やＣＰＵ４１による処理結果等を表示する表示部４６、通信線１１を介してマスタパネル
ユニット２との間で各種情報や制御情報等を送受信する通信インタフェース４７、各種情
報を放音する放音部４９を備え、これらの各部はバス４８を介して相互に接続されている
。
【００２５】
ホストコンピュータ４が備える記憶部４４は、磁気的、光学的記録媒体、或いは半導体
記憶素子を用いて構成される記憶装置であり、初期設定プログラム４４Ａ、パネル配置情
報４４Ｂ、画像データ分割処理プログラム４４Ｃ、データ配信プログラム４４Ｄ、及び、
画像データ記憶プログラム４４Ｅを含む各種プログラムやデータを記憶する。
初期設定プログラム４４Ａは、マスタパネルユニット２及びパネルユニット３をつなげ
て表示装置１０を新規に設置した場合や、表示装置１０の構成を変更した場合等に、表示
装置１０におけるマスタパネルユニット２及びパネルユニット３の配置状態を検出するた
めに実行されるプログラムである。
初期設定プログラム４４ＡがＣＰＵ４１により実行されると、ホストコンピュータ４と
マスタパネルユニット２及びパネルユニット３の機能により、表示装置１０におけるパネ
ルユニット３の各々に固有のＩＤが付与されると共に、表示装置１０の構成に応じて、各
表示ユニット５が配置されている配置場所Ｂ毎に固有の配置番号Ｄが付与される。そして
、パネルユニット３に付与されたＩＤ及びマスタパネルユニット２に付与されているＩＤ
と、配置番号Ｄとを対応付けた情報であるパネル配置情報４４Ｂが生成される。
【００２６】
図６は、パネル配置情報４４Ｂの構成例を示す図である。ここで、配置場所Ｂとは、表
示装置１０を形成するべく表示ユニット５が配置される場所のことであり、各配置場所Ｂ
に各表示ユニット５が配置されることにより、一つの表示装置１０の構成が定まる。
図６に示すように、パネル配置情報４４Ｂでは、表示装置１０における各表示ユニット
５のＩＤと、各表示ユニット５が配置されている配置場所Ｂの配置番号Ｄとが対応付けら
れている。例えば図６では、正面左斜め下の配置場所Ｂに配置番号Ｄ＝Ｄ０１が付与され
、この配置場所ＢにＩＤ＝０６のパネルユニット３が配置されているため、ＩＤ＝０６と
配置番号Ｄ＝Ｄ０１とが関連付けられている。
ここで、表示システム１は、表示ユニット５の配置を変更することにより、表示装置１
０の構成を自由に変更することができるが、配置場所Ｂ毎に付与された配置番号Ｄについ
ては、表示装置１０の構成が変更されない限り変更されない。すなわち、図６のように表
示ユニット５が縦３列×横３列に並べて配置される構成を有する表示装置１０においては
、この構成が異なる構成（例えば、縦２列×横５列）に変更されない限り、表示ユニット
５の間で配置場所Ｂの交換があったり、ある表示ユニット５を９０°回転させて設置した
り、また、表示ユニット５が新しい表示ユニット５と交換されたりした場合であっても、
配置場所Ｂ毎の配置番号Ｄは変更されない。
また、パネル配置情報４４Ｂには、表示装置１０の構成に、表示装置１０の上下左右の
方向を対応づける情報も含まれている。このため、図６に例示するパネル配置情報４４Ｂ
から、パネルユニット２が表示装置１０の下端に配置され、マスタパネルユニット２の左
右にパネルユニット３が配置され、その上に２列のパネルユニット３が配置されて、全体
として縦３列×横３列に並ぶ９個のパネルユニットで表示装置１０が構成されていること
が示される。
【００２７】
また、画像データ分割処理プログラム４４Ｃは、一つの画像を表示装置１０の構成に合
わせて配置場所Ｂ毎に分割し、各配置場所Ｂに配置された表示ユニット５に表示すべき画
像データを生成するために実行されるプログラムである。
また、データ配信プログラム４４Ｄは、画像データを、この画像データを表示すべき配
置場所Ｂに配置された表示ユニット５に送信し、また、制御情報等の各種情報を表示ユニ
ット５に個別に送信するために実行されるプログラムである。
また、画像データ記憶プログラム４４Ｅは、画像データを、この画像データが送信され
た配置場所Ｂと関連付けた状態で一定量だけ画像データ情報４４Ｆとして記憶部４４に記
憶するために実行されるプログラムである。本実施形態では、この画像データ記憶プログ
ラム４４Ｅが実行されることにより、直近３０分の間に各表示ユニット５に送信された画
像データが配置場所Ｂ毎に付与された配置番号Ｄと対応付けられた状態で画像データ情報
４４Ｆとして記憶部４４に記憶される。
【００２８】
図７は、表示装置１０に画像を表示する処理を説明する図であり、図７（Ａ）は表示装
置１０に画像を表示した状態を示し、図７（Ｂ）は表示用の画像データの送信状態を模式
的に示す図である。
表示装置１０において表示する画像の画像データは、ホストコンピュータ４が有するＣ
ＰＵ４１の処理により、表示ユニット５毎に生成される。例えば図７（Ａ）に示すように
、ホストコンピュータ４は、表示用の画像Ｐを、表示装置１０を構成するパネルユニット
の数に合わせて、例えば９個の部分に分割し、分割した部分毎に表示用の画像データを生
成して送信する。これにより、分割された画像が各々のマスタパネルユニット２及びパネ
ルユニット３により表示され、表示装置１０全体を使って一つの画像Ｐが表示される。各
画像データには、その画像データを表示するパネルユニットのＩＤが付加されている。
【００２９】
ここで、マスタパネルユニット２及びパネルユニット３が実行する転送機能について説
明する。表示装置１０において、ホストコンピュータ４はマスタパネルユニット２にのみ
接続されているので、マスタパネルユニット２から各パネルユニット３へ画像データを送
信したり、パネルユニット３からホストコンピュータ４へ制御情報を送信したりする場合
、制御情報や画像データ等を、マスタパネルユニット２やパネルユニット３によって中継
（転送）する必要がある。そこで、マスタパネルユニット２及びパネルユニット３は、制
御情報や画像データ等を転送する機能を備えている。
マスタパネルユニット２は、ホストコンピュータ４から通信線１１を介して制御情報や
画像データ等を受信した場合、受信した制御情報や画像データ等に宛先として付加された
ＩＤを参照する。そして、宛先のＩＤが自己のＩＤであれば、この制御情報や画像データ
をＲＡＭ２３に一時的に格納し、ＣＰＵ２１によって処理を行い、例えば、受信した画像
データに基づく描画処理を実行して表示パネルに画像を表示する。
【００３０】
一方、通信線１１を介して受信した制御情報や画像データ等に宛先として付加されたＩ
Ｄが自己のＩＤでない場合、マスタパネルユニット２は、パネルユニット３が接続されて
いる全てのインタフェース２６から、上記の制御情報や画像データ等を出力する。
なお、マスタパネルユニット２が、パネルユニット３に付与されているＩＤと、そのＩ
Ｄを有するパネルユニット３がどのインタフェース２６の側に接続されているかを対応づ
ける情報を有しており、パネルユニット３に転送すべき制御情報や画像データ等を受信し
た場合に、その制御情報や画像データ等を、どのインタフェース２６から出力すべきかを
特定できるようにしてもよい。
【００３１】
パネルユニット３は、いずれかのインタフェース３５から入力された制御情報や画像デ
ータ等を転送する機能を有する。パネルユニット３は、４つのインタフェース３５のうち
、マスタパネルユニット２に直接又は他のパネルユニット３を介して接続されたインタフ
ェース３５と、次のＩＤを有するパネルユニット３に接続されたインタフェース３５とを
特定する情報を、不揮発性メモリ２４に記憶している。
いずれかのインタフェース３５から制御情報や画像データ等が入力された場合、パネル
ユニット３は、その宛先のＩＤを判別する。そして、このＩＤがマスタパネルユニット２
に特有のＩＤ（例えば、１６進数のＦＦ）であれば、入力された制御情報や画像データ等
を、マスタパネルユニット２に接続されたインタフェース３５から出力する。
また、宛先のＩＤが自己以外のパネルユニット３のＩＤであった場合、パネルユニット
３は、入力された制御情報や画像データ等を、次のＩＤを有するパネルユニット３に接続
されたインタフェース３５から出力する。入力された制御情報や画像データ等の宛先のＩ
Ｄが自己のＩＤと一致した場合、パネルユニット３は、入力された制御情報や画像データ
等をＲＡＭ３３に格納して、ＣＰＵ３１によって処理する。
【００３２】
このようにして、ホストコンピュータ４からパネルユニット３へ宛てて送信された制御
情報や画像データ等は、図７（Ｂ）に示すように、マスタパネルユニット２からパネルユ
ニット３へ転送され、ＩＤの順に各々のパネルユニット３により転送され、宛先のパネル
ユニット３へ届く。また、パネルユニット３からホストコンピュータ４又はマスタパネル
ユニット２へ宛てて送信された制御情報等は、ＩＤの順とは逆の順で各々のパネルユニッ
ト３により転送され、マスタパネルユニット２により受信される。
なお、例えば図７（Ｂ）のパネルユニット３（ＩＤ＝０５）は、次のＩＤを有するパネ
ルユニット３に接続されていない。このようなパネルユニット３は、初期設定動作時に転
送先がないことが設定され、自己のＩＤとは異なる宛先が付加された制御情報や画像デー
タは、転送せず全て破棄する。
【００３３】
このように、表示装置１０においては、マスタパネルユニット２及びパネルユニット３
の間で制御情報や画像データを転送することで、ホストコンピュータ４とマスタパネルユ
ニット２及びパネルユニット３が、個々に画像データや制御情報を送受信できる。この機
能を用い、表示システム１においては、表示時におけるマスタパネルユニット２及びパネ
ルユニット３の消費電流に基づいて、マスタパネルユニット２及びパネルユニット３の劣
化状態を検出し、検出した劣化状態に基づいて各表示ユニット５が配置される配置場所Ｂ
として適した配置場所Ｂを特定する機能を有している。
【００３４】
図８は、配置場所特定処理を示すフローチャートである。配置場所特定処理とは、各表
示ユニット５に最も適した配置場所Ｂを特定する処理であり、本実施形態では、ホストコ
ンピュータ４がマスタパネルユニット２に対して指示を行うことで実行される。
なお、図８の配置場所特定処理において、表示ユニット５の劣化状態とは、表示ユニッ
ト５の輝度の劣化の度合いを示す値のことであり、詳細は後述するが本実施形態では表示
ユニット５毎に劣化レベルＲＬとして表される。また、画像の傾向とは、一つの配置場所
Ｂに配置された一つの表示ユニット５に表示される画像の輝度の傾向を、表示ユニット５
が配置されている配置場所Ｂ毎に示す値のことであり、詳細は後述するが本実施形態では
傾向レベルＫＬとして表される。
また、図８の配置場所特定処理においては、一例として、マスタパネルユニット２が劣
化状態検出部として各表示ユニット５の劣化状態を検出し、画像傾向検出部として配置場
所Ｂ毎の画像の傾向を検出し、さらに、劣化検出部として劣化が生じている表示ユニット
５を検出するが、これをホストコンピュータ４が行うようにしてもよい。
【００３５】
配置場所特定処理では、まず、マスタパネルユニット２には、ホストコンピュータ４か
ら配置場所特定処理の開始が指示される（ステップＳ１１）。この指示に従い、マスタパ
ネルユニット２は、マスタパネルユニット２及びパネルユニット３の劣化状態を検出する
処理である劣化状態検出処理を実行する（ステップＳ１２）。ここで、劣化状態検出処理
について図９を用いて詳述する。
【００３６】
図９は、ステップＳ１２の劣化状態検出処理を詳細に示すフローチャートである。
劣化状態検出処理において、マスタパネルユニット２は、まず、表示ユニット５の表示
パネル２７，３７の全面に赤色、青色及び緑色のうちいずれかの色を表示する。ここでは
、説明の便宜のため、表示パネル２７，３７の全面に赤色を表示するものとする（ステッ
プＳ２１）。次いで、マスタパネルユニット２は、各々のパネルユニット３に対して消費
電流の測定を指示するとともに、自己の制御部２０が有する電流検出部６０によって消費
電流を測定する（ステップＳ２２）。
ここで、マスタパネルユニット２からの指示に従って、パネルユニット３は、制御部３
０が備える電流検出部６０によって消費電流を測定し、その測定値をマスタパネルユニッ
ト２へ送信する。マスタパネルユニット２は、パネルユニット３から送信される測定値を
受信するとともに、全てのパネルユニット３から測定値を受信するまで待機する（ステッ
プＳ２３）。
全てのパネルユニット３から測定値を受信した後、マスタパネルユニット２は、受信し
た測定値と自己の電流検出部６０の測定値とを合わせて集計する（ステップＳ２４）。
【００３７】
続いて、マスタパネルユニット２は、集計した値に基づいて各表示ユニット５の消費電
流の平均値Ｈを求め、この平均値Ｈと、各表示ユニット５の消費電流値とを比較し、比較
結果に基づいて各表示ユニット５の赤色に対する輝度の劣化の度合いを検出する。そして
、この劣化の度合いに基づいて、マスタパネルユニット２は、全ての表示ユニット５に対
して、赤色に対する輝度の劣化の度合いを示す赤色劣化レベルＲＲＬを設定する（ステッ
プＳ２５）。
具体的には、一つの表示ユニット５の消費電流値が平均値Ｈに対し所定の値Ｔ１の範囲
内にある場合、マスタパネルユニット２は、この表示ユニット５に対し赤色劣化レベルＲ
ＲＬとして「Ａ」を設定する。一方、一つの表示ユニット５の消費電流値が平均値Ｈに対
し所定の値Ｔ１を越えて離れている場合、マスタパネルユニット２は、この表示ユニット
５に対し赤色劣化レベルＲＲＬとして「Ｂ」を設定する。
ここで所定の値Ｔ１は、見た目に違和感を覚えるほどに表示ユニット５の赤色に対する
輝度が劣化しているか否かを判定するための閾値であり、パネルユニット３の消費電流値
が平均値Ｈに対しこの所定の値Ｔ１の範囲内にある場合は見た目に違和感を覚えるほどに
パネルユニット３の赤色に対する輝度が劣化した状態になく、逆に、所定の値Ｔ１の範囲
外にある場合見た目に違和感を覚えるほどにパネルユニット３の赤色に対する輝度が劣化
している状態にあるような値となっている。従って、あるパネルユニット３の赤色劣化レ
ベルＲＲＬが「Ａ」のときは、このパネルユニット３は、見た目に違和感を覚えるほど赤
色に対する輝度が劣化していない状態にあり、逆に、赤色劣化レベルＲＲＬが「Ｂ」のと
きは、このパネルユニット３は、見た目に違和感を覚えるほどに赤色に対する輝度が劣化
している状態にある。
【００３８】
以上、図９のフローチャートを用いて、全ての表示パネル２７，３７の全面に赤色を表
示した後、各表示ユニット５に赤色劣化レベルＲＲＬを設定するまでの劣化状態検出処理
を説明したが、この劣化状態検出処理は、赤色のみならず、緑色、青色についても行われ
る。すなわち、マスタパネルユニット２は、表示ユニット５の全面に緑色、青色の各色を
それぞれ表示し、上述した手順と同様の手順によって、全ての表示ユニット５に対し緑色
劣化レベルＧＲＬ、青色劣化レベルＢＲＬを設定する。
【００３９】
図１０は、赤色、緑色及び青色の各色について劣化状態検出処理を実行した後に、各表
示ユニット５に設定された各色の劣化レベルＲＬの状態の一例を示す図である。
図１０に示すように、劣化状態検出処理実行後においては、表示ユニット５毎に各色の
劣化レベルＲＬが設定されることとなる。例えば、正面左上に配置されたパネルユニット
３（ＩＤ＝０８）には、赤色劣化レベルＲＲＬとして値「Ｂ」が、緑色劣化レベルＧＲＬ
として値「Ａ」が、そして、青色劣化レベルＢＲＬとして値「Ａ」が、それぞれ設定され
ている。
【００４０】
以上説明したように、本実施形態では、赤色、緑色及び青色の各色について劣化状態検
出処理を実行し、それぞれの色について劣化レベルＲＬを設定しているが、これは以下の
理由による。
すなわち、有機ＥＬパネル、液晶パネル、プラズマディスプレイパネル等の各種表示パ
ネルでは、フルカラー表示を行うため、赤色、青色及び緑色の３原色に対応する表示体を
制御して画像を表示する。そこで、表示パネル２７，３７の全面に赤色、青色又は緑色を
表示した状態で消費電流を測定すると、赤色の表示体だけ発色させた状態、青色の表示体
だけ発色させた状態、緑色の表示体だけ発色させた状態の各々の消費電流を測定すること
になる。このため、表示体の色毎の消費電流に基づいて、劣化レベルＲＬを確実に設定す
ることができる。
また、例えば有機ＥＬパネルのように電流駆動型発光素子を表示体として用いる場合に
は、消費電流と画面の輝度との間に比例関係が存在する。例えば、赤の表示体（発光素子
）が見た目に違和感を覚える程に劣化している場合、全面に赤を表示した状態の消費電流
が通常より低くなる。このため、表示体の色毎の消費電流に基づいて、表示体の各色に対
する輝度の劣化の度合いを検出し、確実に劣化レベルＲＬを設定することができる。
【００４１】
さて、前掲図８に戻り、ステップＳ１２の劣化状態検出処理を実行後、マスタパネルユ
ニット２は、配置場所Ｂ毎に、各配置場所Ｂに配置された表示ユニット５が表示する画像
の輝度の傾向を検出する処理である画像傾向検出処理を実行する（ステップＳ１３）。具
体的には、マスタパネルユニット２は、ホストコンピュータ４に対し、記憶部４４に記憶
されている画像データ情報４４Ｆをマスタパネルユニット２へ送信する旨の制御信号を送
信する。この制御信号を受信したホストコンピュータ４は、画像データ情報４４Ｆをマス
タパネルユニット２に送信する。画像データ情報４４Ｆを受信したマスタパネルユニット
２は、この画像データ情報４４Ｆを解析し、配置場所Ｂ毎に上記画像の輝度の傾向を示す
値である傾向レベルＫＬを設定する。
傾向レベルＫＬについて詳述すると、本実施形態では、傾向レベルＫＬとして、赤色傾
向レベルＲＫＬ、緑色傾向レベルＧＫＬ及び青色傾向レベルＢＫＬがある。赤色傾向レベ
ルＲＫＬとは、一つの配置場所Ｂに配置された表示ユニット５が表示する画像の赤色の成
分の傾向を示す値であり、他の配置場所Ｂとの比較において、赤色の成分を多く含む画像
を表示する傾向にあったり、また、赤色の成分を含む画像を頻繁に表示する傾向にあった
りする場合は値「Ａ」が設定され、そうでない場合は値「Ｂ」が設定される。同様に、緑
色傾向レベルＧＫＬは、一つの配置場所Ｂに配置された表示ユニット５が表示する画像の
緑色の成分の傾向を示す値であり、青色傾向レベルＢＫＬは、一つの配置場所Ｂに配置さ
れた表示ユニット５が表示する画像の青色の成分の傾向を示す値である。
【００４２】
図１１は、ステップＳ１３の画像傾向検出処理を実行することにより、全ての配置場所
Ｂに対し、各色の傾向レベルＫＬが設定された状態の一例を示す図である。
図１１に示すように、画像傾向検出処理実行後にあっては全ての配置場所Ｂに対し、各
色の傾向レベルＫＬが設定される。例えば、正面左下の配置場所Ｂ（配置番号Ｄ＝Ｄ０１
）においては、赤色傾向レベルＲＫＬとして値「Ｂ」が、緑色傾向レベルＧＫＬとして値
「Ａ」が、青色傾向レベルＢＫＬとして値「Ａ」が設定されている。
【００４３】
前掲図８に戻り、ステップＳ１３の画像傾向検出処理を実行後、マスタパネルユニット
２は、表示ユニット５毎に設定された劣化レベルＲＬと、配置場所Ｂ毎に設定された傾向
レベルＫＬとに基づいて、表示ユニット５毎に、表示ユニット５を配置すべき配置場所Ｂ
として適した配置場所Ｂを特定する（ステップＳ１４）。例えば、マスタパネルユニット
２は、各表示ユニット５に設定された赤色劣化レベルＲＲＬを参照し、赤色に対する輝度
が見た目に違和感を覚える程に劣化している表示ユニット５を特定する（図１０の例では
、ＩＤ＝０８のパネルユニット３）。さらに、マスタパネルユニット２は、各配置場所Ｂ
に設定された赤色傾向レベルＲＫＬを参照し、赤色の成分を有する画像を表示しない傾向
にある配置場所Ｂを特定する（図１１の例では、配置番号Ｄ＝Ｄ０１の配置場所Ｂ）。そ
して、上記特定した表示ユニット５に適した配置場所Ｂとして、上記特定した配置場所Ｂ
を定める。これは、上記特定した表示ユニット５を上記特定した配置場所Ｂに配置した場
合、この表示ユニット５は、赤色の成分を多く含む画像を表示することや、赤色の成分を
含む画像を表示する頻度が減少することになり、上記特定した表示ユニット５の赤色に対
する輝度の劣化が目立たなくなり、これにより、赤色に対する輝度の劣化に起因する見た
目の違和感が緩和されるからである。
同様にして、マスタパネルユニット２は、緑色劣化レベルＧＲＬと緑色傾向レベルＧＫ
Ｌとの比較結果、青色劣化レベルＢＲＬと青色傾向レベルＢＫＬとの比較結果、及び、赤
色劣化レベルＲＲＬ、緑色劣化レベルＧＲＬ及び青色劣化レベルＢＲＬとの組み合わせと
、赤色傾向レベルＲＫＬ、緑色傾向レベルＧＫＬ及び青色傾向レベルＢＫＬとの組み合わ
せとの比較結果に基づいて、各表示ユニット５の適した配置場所Ｂを特定する。
【００４４】
なお、上述した画像傾向検出処理において、画像の輝度の傾向を検出しているが、各表
示ユニット５が表示する画像が動画像である場合には、マスタパネルユニット２は、画像
の輝度の傾向のみならず当該画像の動きの傾向を検出するようにしてもよい。そして、ス
テップＳ１４において表示ユニット５に適した配置場所Ｂを特定する際、劣化レベルＲＬ
及び傾向レベルＫＬだけでなく、この画像の動きの傾向を利用するようにしてもよい。こ
の構成によれば、適した配置場所Ｂを特定する際に画像の動きの傾向を利用することによ
り、動画像を表示する表示ユニット５に適した配置場所Ｂを好適に特定することができる
。
また、画像傾向検出処理において、マスタパネルユニット２は、配置場所Ｂ毎に傾向レ
ベルＫＬを設定しているが、例えば、画像データ情報４４Ｆを解析することにより、表示
ユニット５が表示する画像の赤色、緑色及び青色の各色の成分の傾向の順に、配置場所Ｂ
を順位付けするようにしてもよい。これによれば、ステップＳ１４において各表示ユニッ
ト５に適した配置場所Ｂを特定する際、マスタパネルユニット２は、上記順位を参照する
ことにより、輝度が劣化している表示ユニット５の配置場所Ｂとして適した配置場所Ｂを
容易に特定することができる。
また、全ての配置場所Ｂがほとんど同じような色成分を有する画像を表示しており、傾
向レベルＫＬを参照しても、上記特定した表示ユニット５に適した配置場所Ｂが特定でき
ない場合は、表示装置１０の正面左下の位置する配置場所Ｂ（図６のパネル配置情報４４
Ｂの例では、配置番号Ｄ＝Ｄ０１）に近い配置場所Ｂから優先的に適した配置場所Ｂとし
て特定する。これは、人間が表示装置１０を正面から見た場合、左下に配置された表示ユ
ニット５に表示された画像に最も視線がいかないという傾向があるからである。
【００４５】
ステップＳ１４において各表示ユニット５毎に適した配置場所Ｂを特定した後、マスタ
パネルユニット２は、その旨の情報をホストコンピュータ４へ送信する（ステップＳ１５
）。情報を受信したホストコンピュータ４は、この情報に基づいて、例えば以下の処理を
実行することができる。
例えば、ホストコンピュータ４は、表示ユニット５毎に適した配置場所Ｂを一覧表等に
よって表示部４６に表示することができる。これによれば、作業者は、表示部４６を参照
することにより、表示ユニット５毎の適した配置場所Ｂを迅速かつ容易に認識することが
できるようになる。そして、この認識に基づいて作業者が表示ユニット５を適した配置場
所Ｂに配置した場合、上述したように、表示ユニット５が見た目に違和感を覚える程度に
劣化している場合であっても、この見た目の違和感を緩和することができる。特に、表示
ユニット５が修理が必要な程度、又は、新しい表示ユニット５と交換が必要な程度に劣化
している場合、従来は、これら修理又は交換が行われるまでの間、見た目の違和感を生じ
た状態で画像が表示されていた。しかしながら、修理又は交換が必要な程度に表示ユニッ
ト５が劣化した場合であっても、この表示ユニット５を適した配置場所Ｂに配置すること
により、速やかに見た目の違和感が緩和されることになり、修理又は交換が行われるまで
の間も見た目の違和感が緩和された状態で画像の表示が行われることになる。
【００４６】
また例えば、ホストコンピュータ４は、表示部４６に、現在の表示ユニット５の配列で
一つの画像Ｐを表示装置１０に表示した場合の画像Ｐの状態を擬似的に表示すると共に、
受信した情報に基づいて、表示ユニット５を適した配置場所Ｂに配置した場合において上
記一つの画像Ｐを表示装置１０に表示した場合の画像Ｐの状態を擬似的に表示することが
できる。これによれば、作業者は、表示部４６を参照することにより、表示ユニット５を
適した配置場所Ｂに配置した場合、表示装置１０の表示状態がどのように変化するかを認
識することができ、実際に配置するか否かを好適に判断することができる。
また例えば、ホストコンピュータ４は、マスタパネルユニット２を制御し、各表示ユニ
ット５のうち、図８のステップＳ１４の処理によって見た目に違和感を覚える程度に劣化
している表示ユニット５として特定されたものの表示パネル２７，３７にその旨を表示す
ると共に、この表示ユニット５に適した配置場所Ｂとして特定された配置場所Ｂに現在配
置されている表示ユニット５の表示パネル２７，３７にその旨を表示するようにしてもよ
い。これによれば、作業者は、劣化した表示ユニット５及びこの表示ユニット５に適した
配置場所Ｂを速やかに認識することができ、この表示ユニット５を適した配置場所Ｂに配
置する作業の迅速化、容易化を図ることができる。
【００４７】
また例えば、ホストコンピュータ４は、受信した情報により見た目に違和感を覚える程
に輝度が劣化した表示ユニット５が存在することを取得した場合、表示部４６にその旨の
警告を表示したり、放音部４９によってその旨を示す音を放音したり、予め登録された作
業者のメールアドレスへメールしたりすることができる。これによれば、作業者は、迅速
に見た目に違和感を覚える程に輝度が劣化した表示ユニット５が存在することを認識する
ことができる。
【００４８】
図８に示す配置場所特定処理は、ホストコンピュータ４からマスタパネルユニット２及
びパネルユニット３に制御情報を送信することによって開始されてもよいが、例えば、１
日に１回、予め設定された時刻にマスタパネルユニット２及びパネルユニット３が処理を
開始してもよいし、表示装置１０の起動時に処理が開始されるものであってもよい。さら
に、例えば、作業者が表示装置１０を見て、表示ユニット５の劣化に気づいたとき、又は
、表示装置１０の表示の状態に何らかの違和感を覚えたときに、この作業者がホストコン
ピュータ４の入力部４５を操作して開始するようにしてもよい。
【００４９】
以上説明したように、本実施形態によれば、各表示ユニット５毎に設定された劣化レベ
ルＲＬと、各配置場所Ｂ毎に設定された傾向レベルＫＬとに基づいて、各表示ユニット５
に適した配置場所Ｂが特定される。ここで、上述したように、一つの表示ユニット５をこ
の表示ユニット５に適した配置場所Ｂとして特定された配置場所Ｂに配置した場合、この
表示ユニット５の輝度の劣化が目立たなくなる。このため、例えば、表示ユニット５が劣
化し、表示する画像に見た目の違和感が生じた場合であっても、その表示ユニット５を特
定された配置場所Ｂに配置することにより、速やかに違和感を緩和することができる。
また、本実施形態によれば、劣化レベルＲＬは、表示ユニット５の輝度に基づいて検出
され、傾向レベルＫＬは、配置場所Ｂ毎の画像の輝度に基づいて検出される。従って、こ
れら劣化レベルＲＬ及び傾向レベルＫＬに基づいて特定された配置場所Ｂは、表示ユニッ
ト５の輝度及び配置場所Ｂ毎の画像の輝度が考慮されたうえで特定されることになる。こ
のため、表示ユニット５の輝度が他の表示ユニット５と合わなくなることに起因して、表
示する画像に見た目の違和感が生じた場合であっても、表示ユニット５を特定された配置
場所Ｂに配置することにより速やかに違和感を緩和することができる。
【００５０】
また、本実施形態によれば、劣化レベルＲＬは、表示ユニット５の赤色、緑色及び青色
に対する輝度に基づいて検出され、傾向レベルＫＬは、配置場所Ｂ毎の画像の赤色、緑色
及び青色に対する輝度に基づいて検出される。従って、これら劣化レベルＲＬ及び傾向レ
ベルＫＬに基づいて特定された配置場所Ｂは、表示ユニット５の赤色、緑色及び青色に対
する輝度及び配置場所Ｂ毎の画像の赤色、緑色及び青色に対する輝度が考慮されたうえで
特定されることになる。このため、表示ユニット５の赤色、緑色又は青色に対する輝度が
他の表示ユニット５と合わなくなることに起因して、表示する画像に見た目の違和感が生
じた場合であっても、表示ユニット５を特定された配置場所Ｂに配置することにより速や
かに違和感を緩和することができる。
また、本実施形態によれば、マスタパネルユニット２は、各色の劣化レベルＲＬを参照
することにより、表示する画像の見た目に違和感を生じるほど劣化している表示ユニット
５を検出し、この表示ユニット５に適した配置場所Ｂを特定する。このため、表示する画
像の見た目に違和感を生じるほど劣化している表示ユニット５の劣化に起因して、表示す
る画像に見た目の違和感が生じた場合であっても、その表示ユニット５を特定した配置場
所Ｂに配置することにより速やかに違和感を緩和することができる。
【００５１】
また、本実施形態によれば、図８のステップＳ１３の画像傾向検出処理においては、画
像データ情報４４Ｆを解析することにより、表示ユニット５が表示する画像の赤色、緑色
及び青色の各色の成分の傾向の順に、配置場所Ｂを順位付けすることもできる。これによ
れば、ステップＳ１４において各表示ユニット５に適した配置場所Ｂを特定する際、マス
タパネルユニット２は、上記順位を参照することにより、輝度が劣化している表示ユニッ
ト５の配置場所Ｂとして適した配置場所Ｂを容易に特定することができる。
また、本実施形態では、上述したように、図８のステップＳ１３の画像傾向検出処理に
おいて、画像の輝度の傾向を検出しているが、各表示ユニット５が表示する画像が動画像
である場合には、マスタパネルユニット２は、画像の輝度の傾向のみならず当該画像の動
きの傾向を検出するようにしてもよい。そして、図８のステップＳ１４において表示ユニ
ット５に適した配置場所Ｂを特定する際、劣化レベルＲＬ及び傾向レベルＫＬだけでなく
、この画像の動きの傾向を利用するようにしてもよい。この構成によれば、配置場所Ｂを
特定する際に画像の動きの傾向を利用することにより、マスタパネルユニット２は、動画
像を表示する表示ユニット５に適した配置場所Ｂを好適に特定することができる。
【００５２】
また、本実施形態では、各表示ユニット５に適した配置場所Ｂに関する情報を受信した
ホストコンピュータ４は、表示ユニット５毎に適した配置場所Ｂを一覧表等によって表示
部４６に表示することができる。これによれば、作業者は、表示部４６を参照することに
より、表示ユニット５毎に適した配置場所Ｂを迅速かつ容易に認識することができ、この
認識に基づき実際に表示ユニット５を適した配置場所Ｂに配置できるようになる。そして
、この認識に基づいて作業者が表示ユニット５を適した配置場所Ｂに配置した場合、上述
したように、表示ユニット５が見た目に違和感を覚える程度に劣化している場合であって
も、この見た目の違和感を緩和することができる。特に、表示ユニット５が修理が必要な
程度、又は、新しい表示ユニット５と交換が必要な程度に劣化している場合、従来は、こ
れら修理又は交換が行われるまでの間、見た目の違和感を生じた状態で画像が表示されて
いた。しかしながら、修理又は交換が必要な程度に表示ユニット５が劣化した場合であっ
ても、この表示ユニット５を適した配置場所Ｂに配置することにより、速やかに見た目の
違和感が緩和されることになり、修理又は交換が行われるまでの間も見た目の違和感が緩
和された状態で画像の表示が行われることになる。
【００５３】
なお、上記施形態は、あくまでも本発明の一態様を示すものであり、本発明の範囲内で
任意に変形及び応用が可能である。
例えば、上記実施形態では、画像データ情報４４Ｆは、配置場所Ｂ毎に直近３０分の間
に各表示ユニット５に送信された画像データを配置場所Ｂ毎に配置番号Ｄと対応付けした
ものとしたが、画像データ情報４４Ｆとして記憶する時間は記憶部４４の記憶容量に応じ
て任意に設計すればよい。また、画像データ情報４４Ｆは、画像データそのものでなく、
画像データの輝度に係るデータや、画像データの色深度に係るデータ等であってもよい。
これによれば、図８のステップＳ１３において配置場所Ｂ毎の表示傾向を検出する際、画
像データそのものを分析する必要がなくなり、処理時間の短縮を図ることができる。
【００５４】
また、上記実施形態では、表示ユニット５毎に赤色、緑色及び青色の各色に対する輝度
の劣化に基づいて劣化レベルＲＬを求めていたが、さらに白色に対する輝度の劣化に基づ
いて劣化レベルＲＬを求めるようにしてもよい。この場合において、図８のステップＳ１
３の画像傾向検出処理において、赤色、緑色及び青色の各色に対する傾向レベルＫＬだけ
でなく、各配置場所Ｂに配置された表示ユニット５が表示する画像の色全体に対する輝度
の傾向を配置場所Ｂ毎に検出し、色全体に対する傾向レベルＫＬを求めるようにしてもよ
い。ここで、白色の劣化レベルＲＬを求める場合、劣化状態検出処理において表示パネル
２７，３７の全面に白色を表示するが、これは全ての表示体を発色させた状態である。従
って、この状態で消費電流を測定し、この消費電流に基づいて劣化状態を検出すれば、各
表示ユニット５の色全体に対する劣化を検出することができる。そして、白色の劣化レベ
ルＲＬと色全体に対する傾向レベルＫＬとの比較結果に基づいて表示ユニット５に適した
配置場所Ｂを特定することにより、見た目に違和感を覚える程度に色全体に対する輝度が
劣化している表示ユニット５が存在する場合であっても、この表示ユニット５に適した配
置場所Ｂに配置することにより、速やかに見た目の違和感を緩和することができる。
【００５５】
さらに、図８のステップＳ１２の劣化状態検出処理において、白色に対する劣化レベル
ＲＬのみを求めると共に、ステップＳ１３の画像傾向検出処理において、色全体に対する
傾向レベルＫＬのみを求めるようにし、これら白色に対する劣化レベルＲＬと色全体に対
する傾向レベルＫＬとによって各表示ユニット５に適した配置場所Ｂを特定するようにし
てもよい。これによれば、配置場所Ｂを特定する際、赤色、緑色及び青色の各色の劣化レ
ベルＲＬ及び傾向レベルＫＬを利用しない分、処理時間の短縮を図ることができる。
また、上記実施形態では、劣化レベルＲＬとして「Ａ」「Ｂ」の２つの値を設定するこ
とができる構成となっていたが、劣化レベルＲＬはより細かい値を設定するようにしても
よい。例えば、表示ユニット５が多少劣化しているものの見た目に違和感を覚えるほどに
は劣化が進んでないことを示す値「Ｃ」や、すぐに新しい表示ユニット５と交換し、また
、修理をする必要があることを示す値「Ｄ」等を設定することができるようにしてもよい
。同様のことは、傾向レベルＫＬについても言うことができる。
これによれば、作業者が取得できる情報が多くなり、作業者の取りえる行動の選択肢を
増やすことができる。例えば、作業者は、交換や修理を必要な表示ユニット５が存在する
場合にのみ、その表示ユニット５を適した配置場所Ｂに配置し、交換や修理が行われるま
での間見た目の違和感を緩和する、といった行動を取ることができる。
【００５６】
また、上記実施形態では、マスタパネルユニット２は、図８のステップＳ１２の劣化状
態検出処理Ｓ１２において、各表示ユニット５の色に対する輝度の劣化を検出しているが
、その際、表示体のＨＬＳ色空間によって輝度の劣化を検出するようにしてもよい。
また、上記実施形態では、４個のインタフェース２６を有するマスタパネルユニット２
、及び、４個のインタフェース３５を有するパネルユニット３を例に挙げて説明したが、
本発明はこれに限定されるものではなく、例えば、マスタパネルユニット２を表示装置１
０の隅に配置することにすれば、マスタパネルユニット２は少なくとも２個のインタフェ
ース２６を有するものであればよい。また、マスタパネルユニット２を表示装置１０の上
下左右の縁（端）に配置する場合は、マスタパネルユニット２は３個のインタフェース２
６を有するものであればよい。パネルユニット３についても同様に、隅部に配置される場
合は２個のインタフェース３５を備えていればよく、上下左右の縁に配置される場合は３
個のインタフェース３５を備えていればよい。
また、表示装置１０を構成するマスタパネルユニット２及びパネルユニット３の数は任
意であり、複数のマスタパネルユニット２が一つの表示装置１０を構成する場合には、い
ずれかのマスタパネルユニット２がパネルユニット３と同様に動作するようにしてもよい
し、他のパネルユニット３をマスタパネルユニット２と同数のグループに分割して、グル
ープ毎に上述した処理を実行してもよい。その他、上記実施形態で説明した表示システム
１の細部構成についても、任意に変更可能である。
【図面の簡単な説明】
【００５７】
【図１】本発明の実施形態に係る表示システムの構成を示す図である。
【図２】マスタパネルユニット及びパネルユニットの構成を示す外観図である。
【図３】マスタパネルユニット及びホストコンピュータの機能ブロック図である。
【図４】パネルユニットの機能ブロック図及びインタフェースの構成図である。
【図５】消費電流検出部及び電流調整回路の構成図である。
【図６】ホストコンピュータが有するパネル配置情報の構成例を示す図である。
【図７】表示パネルに画像を表示する処理を説明する図である。
【図８】配置場所特定処理を示すフローチャートである。
【図９】劣化状態検出処理を示すフローチャートである。
【図１０】劣化状態検出処理実行後の表示装置の状態の一例を示す図である。
【図１１】画像傾向検出処理実行後の表示装置の状態の一例を示す図である。
【符号の説明】
【００５８】
１…表示システム、２…マスタパネルユニット（表示ユニット、劣化状態検出部、画像
傾向検出部、劣化検出部）、３…パネルユニット（表示ユニット）、４…ホストコンピュ
ータ（劣化状態検出部、画像傾向検出部、劣化検出部）、５…表示ユニット、１０…表示
装置、２７，３７…表示パネル、４６…表示部、Ｂ…配置場所。
【図１】
2009186539.tif 000003
【図２】
2009186539.tif 000004
【図３】
2009186539.tif 000005
【図４】
2009186539.tif 000006
【図５】
2009186539.tif 000007
【図６】
2009186539.tif 000008
【図７】
2009186539.tif 000009
【図８】
2009186539.tif 000010
【図９】
2009186539.tif 000011
【図１０】
2009186539.tif 000012
【図１１】
2009186539.tif 000013